(57)【特許請求の範囲】
【請求項１】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、各レバータンブラーを、略Ｃ字形で相互に重合するタンブラーＡとタンブラーＢとを組合わせたものとする一方、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＢの、タンブラーＡの合鍵側端縁との係合部と重合する部分を合鍵と干渉しないように形成し、一方、タンブラーＡの自由端の内側縁部のタンブラーＢと対向する面に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、各タンブラーＡの軸支部の内縁に係合可能なテーパ部と円筒部を連設した円筒突起を形成したリセットピンを支軸に平行な前後方向に移動可能に配設したことを特徴とする可変レバータンブラー錠。
【発明の詳細な説明】
【０００１】
【発明の属する技術分野】
この発明は、可変レバータンブラー錠に係り、特に、簡単な操作で容易に鍵違いを変更できる新規な可変レバータンブラー錠に関する。
【０００２】
【従来の技術】
レバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する(図示せず)ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
【発明が解決しようとする課題】
上記した構成のレバータンブラー錠は、作動の確実性及び使用感が優れていることから、住戸の錠前の主流になりつつある。
【０００８】
一方、他の型式の錠前、例えばピンタンブラー錠やディスクタンブラー錠においても同様であるが、タンブラーの形状及びこれに対応する合鍵の鍵溝の深さが機械的に定まるので、錠前の鍵違いを変えることができない、という恨みが残る。
【０００９】
そのため、例えばマンションやアパートの住人が変わったとき、前の住人が合鍵のスペアキーを作った場合、錠前の防犯性が損われることは明らかである。
【００１０】
しかしながら、貸室の住人が変った場合、或いは合鍵を紛失した場合に、その都度錠前を交換することは面倒かつ費用が掛かるので、実際には行われていないことは良く知られているとおりである。
【００１１】
そこで、この発明は、例えば貸室の住人が変わった場合、簡単な操作で鍵違いを変更できる新規な可変レバータンブラー錠を提供することを目的としている。
【００１２】
【課題を解決するための手段】
上記の目的を達成するため、この発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、各レバータンブラーを、略Ｃ字形で相互に重合するタンブラーＡとタンブラーＢとを組合わせたものとする一方、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＢの、タンブラーＡの合鍵側端縁との係合部と重合する部分を合鍵と干渉しないように形成し、一方、タンブラーＡの自由端の内側縁部のタンブラーＢと対向する面に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、各タンブラーＡの軸支部の内縁に係合可能なテーパ部と円筒部を連設した円筒突起を形成したリセットピンを支軸に平行な前後方向に移動可能に配設したことを特徴とする。
【００１３】
【実施例】
以下、図面に示す実施例に基づいて、この発明について説明する。
この発明における特徴的な構成は、レバータンブラー１１の夫々が単一の部材ではなく、図３に示すように、タンブラーＡ１１Ａと、タンブラーＢ１１Ｂの２部材に分割されていることである。
【００１４】
これらタンブラーＡ１１ＡとタンブラーＢ１１Ｂとは、夫々全体の形状が略Ｃ字形の板状体で、相互に重合した状態で、一端(図３で上端)を下記に示す態様によって支軸１２により回動自在に軸支されている。
【００１５】
すなわち、タンブラーＡ１１Ａの上端には内筒５の略半径方向に向けて長孔２２が形成され、この長孔に支軸１２が挿通された構造となっている。従って、タンブラーＡは支軸１２に回動自在に軸支されていると共に、内筒の半径方向に移動可能となっている。
【００１６】
また、タンブラーＢ１１Ｂの上端には丸孔が形成され、この丸孔に支軸１２が挿通された構造となっており、従って、タンブラーＢは単に支軸１２に回動自在に軸支されている。
【００１７】
一方、タンブラーＡの鍵孔４に対向する側端縁の中央部には、図３に示すように、図示しない合鍵の鍵溝と係合する係合部１６を形成すると共に、タンブラーばね１７(図２参照)の弾力により、合鍵と干渉する方向に付勢されている。
【００１８】
なお、上記タンブラーばね１７のタンブラーＡに対する装着の態様等は従来のレバータンブラー鍵と同様であるから、更に詳細な説明は省略する。
【００１９】
他方、タンブラーＢ１１Ｂの自由端部外側端縁には、前記解錠切欠９を形成すると共に、タンブラーＡの係合部１６と重合する部分は合鍵と干渉しないように形成されている。
【００２０】
また、図５に示すように、内筒５には、これを軸線方向に貫通するように、支軸１２に平行なリセットピン１３が配設されている。
【００２１】
このリセットピン１３は、図３及び図４に示すように、タンブラーＡ、Ｂの軸支部の内縁の内側、換言すれば、支軸１２に関し内筒中心軸に近い方にあり、後述するように、リセットピン１３を操作することによりタンブラーＡ１１Ａが内筒の半径方向に往復動される。
【００２２】
リセットピン１３は、リセットピンばね２１により室内側(向って右側)に向けて付勢され、常態においてはリセットピンの内端は内筒の内側端面から突出している。
【００２３】
また、リセットピン１３には、その長さ方向に沿って、かつ各タンブラー１１に対応して、円筒突起１４が形成されている。
【００２４】
各円筒突起１４は室外側(向って左側)のテーパ部１４ｂと円筒部１４ａとからなり、隣接する円筒突起との間には小径部１５が形成されている(図６参照)。
【００２５】
しかして、常態においては、図５に示すように、タンブラーＢ１１Ｂの軸支部の内縁はテーパ部１４ｂ及び円筒部１４ａの一部に係合しており、タンブラーＡ１１Ａの軸支部の内縁は小径部１５に係合している。
【００２６】
したがって、タンブラーＡは、図３に示すように、内筒の中心に近い位置に位置決めされている。
【００２７】
ここで、リセットピンの右端を左方に向けて押動すると、図１３に示すように、タンブラーＡの軸支部の内縁は小径部１５から離間し、内縁とテーパ部との係合による楔作用によりタンブラーＡは長孔２２に沿って内筒の中心から遠ざかる方向に移動し、更に、円筒部１４ａに乗り上がるため、この遠ざかった位置に定座する(図４参照)。
【００２８】
タンブラーＡ１１Ａの構造の説明に戻って、その自由端の内側縁部のタンブラーＢ１１Ｂに対向する面には細いピン状の係合突部１８(図３参照)が一体に形成されている。
【００２９】
これに対応して、タンブラーＢ１１Ｂの自由端の内側縁部には、図３に示すように、合鍵の鍵溝の深さの種類に対応して、支軸１２を中心とする円弧上に例えば４個の係合凹部１９、１９が形成されている。
【００３０】
図示の実施例では、この係合凹部１９は上記係合突部１８と係合するＵ字形の切欠として形成されている。
【００３１】
各係合凹部１９の支軸１２に対する角度位置は、合鍵の側端縁に形成された複数種類(図示の実施例では４種類)の深さの鍵溝に、タンブラーＡ１１Ａの係合部１６が夫々係合したときの係合突部１８と整合するように設定されている。
【００３２】
例えば、図３で一番左の係合凹部１９、すなわちタンブラーＡ１１Ａの係合突部１８と係合している係合凹部は、解錠切欠９の形成角度位置との関連で、合鍵の鍵溝の一つの深さに対応しており、その一の深さの鍵溝とタンブラーＡ１１Ａの係合部１６が係合したとき、解錠切欠９とロッキングバー６の内側縁と整合するようにその角度位置が定められている。
【００３３】
同様にして、タンブラーＢ１１Ｂの他の係合凹部１９の角度位置も合鍵の他の鍵溝の深さに対応している。
【００３４】
従って、タンブラーＡ及びＢ１１Ａ、１１Ｂが図３に示すような位置関係にあり、係合突部１８が係合凹部１９、１９の一つと係合したとき、両者は一体的に連結して、合鍵の鍵溝の一の深さに対応したレバータンブラーとして機能する。
【００３５】
次に、上記のように構成されたこの発明による可変レバータンブラー錠により鍵違いを変更する方法について説明する。
【００３６】
図７は内筒５の鍵孔４に合鍵３０を挿入した状況を示し、全てのタンブラーＢ１１Ｂの解錠切欠９とロッキングバー６の内側縁が角度的に整合しているので通常のレバータンブラー錠と同様に内筒は回動可能状態となっている。
【００３７】
このとき、リセットピン１３は図５に示す常態にあり、タンブラーＡ１１Ａの軸支部の内縁はリセットピンの小径部１５に係合している。
【００３８】
したがって、タンブラーＡは内筒の中心に近い位置にあり、タンブラーＡの係合突部１８とタンブラーＢの係合凹部１９とは互いに係合している。
【００３９】
次に、合鍵を少し解錠方向に回動させて、図８に示す状態とする。すると、タンブラーＡ１１Ａは、タンブラーＢ１１Ｂ及びロッキングバー６と一体的に同じ角度回動する。
【００４０】
そこで、リセットピン１３の右端を押圧して図１３に示すように室外側(向って左側)に移動させると、タンブラーＡの軸支部の内縁はリセットピンの小径部１５から離れ、テーパ部１４ｂ及び円筒部１４ａの一部に係合する。
【００４１】
したがって、図９に示すように、タンブラーＡ１１Ａは長孔２２に案内されて内筒の中心から遠ざかる方向に移動し、同時に係合突部１８はタンブラーＢ１１Ｂ係合凹部１９から離脱する。
【００４２】
上記のリセットピンの操作時に、タンブラーＡの移動によって合鍵の鍵溝と係合部１６の係合状態の変化が想定されるが、このこと自体は本発明の作用に悪影響を及ぼすことはない。
【００４３】
次いで、図１０に示すように合鍵３０を鍵孔から抜くと、タンブラーＡはタンブラーばね１７の弾力により反時計方向に回動されるが、タンブラーＢは解錠切欠９とロッキングバー６の内側縁との係合により解錠状態を保持しつつ静止している。
【００４４】
ここで、図１１に示すように、合鍵３０とは異なる鍵違いを有する新規の合鍵３１を鍵孔に挿入する。
【００４５】
すると、各タンブラーＡ１１Ａの係合部１６(図３参照)は、新規の合鍵３１の対応する鍵溝と係合して、その係合突部１８は新たな係合凹部１９に係合可能に臨むことになる。
【００４６】
図示の実施例では、それまで一番左の係合凹部１６(図８参照)は、新規の合鍵３１の対応する鍵溝と係合して、その係合突部１８は新たな係合凹部１９に係合可能に臨むことになる。
【００４７】
この状態でリセットピン１３から手を離すと、リセットピン１３がリセットピンばね２１の弾力により原位置に復帰して、タンブラーＡ１１Ａは内筒の中心方向に移動し、図１２に示すように全係合突部１８が新規の合鍵３１に対応する新しい係合凹部１９と係合する。
【００４８】
以後、今まで使用されていた合鍵３０は使用不能となり、このレバータンブラー錠は新規の合鍵３１によってのみ施解錠操作が可能となる。すなわち、鍵違いが変更されたことになる。
【００４９】
上記の操作を繰り返せば、新規の合鍵を用意できる限り、何回でも鍵違いを変更できることになる。
【００５０】
【発明の効果】
以上の説明から明らかなように、この発明は、レバータンブラーをタンブラーＡとタンブラーＢとに分割し、タンブラーＡには係合突部を、タンブラーＢには鍵溝の深さに対応する複数の係合凹部を夫々形成し、タンブラーＡをリセットピンを利用して半径方向に動かし、鍵孔に挿入された新規の合鍵の鍵溝の深さに対応して係合凹部と係合突部との係合の態様を変化させ、もって支軸に対する解錠切欠の角度位置を変化させるようにしたので、簡単な操作で鍵違いを何回でも変更できる、という所期の効果を奏する。
【図面の簡単な説明】
【図１】従来のレバータンブラー錠の一例を示す縦横面図。
【図２】その横断面図。
【図３】この発明の一実施例によるレバータンブラー錠のタンブラーの構成を説明するための拡大正面図で、タンブラーＡ、Ｂが相互に連結された状態を示す。
【図４】図３と同様のタンブラーの構成を説明するための拡大正面図で、タンブラーＡ、Ｂが鍵違い変換のため分離された状態を示す。
【図５】この発明の一実施例によるレバータンブラー錠の拡大縦断面図(タンブラーＡ、Ｂが連結された状態)。
【図６】リセットピンの斜視図。
【図７】この発明によるレバータンブラー錠の鍵違いの変換を説明するための横断面図で、一の合鍵に対応する一の鍵違いを示す。
【図８】図７と同様の横断面図で、一の合鍵を挿入したまま解錠方向に内筒を回動させた状態を示す。
【図９】図８と同様の横断面図で、リセットピンを操作して、タンブラーＡ、Ｂを分離した状態を示す。
【図１０】図９と同様の横断面図で、一の合鍵を鍵孔から抜いた状態を示す。
【図１１】図９と同様の横断面図で、新規の合鍵を鍵孔に挿入した状態を示す。
【図１２】図１１と同様の図で、リセットピンを操作してタンブラーＡ、Ｂを相互に連結した状態を示す。
【図１３】図５と同様の拡大縦断面図(タンブラーＡ、Ｂが分離された状態)。
【符号の説明】
１  カム溝
２  外筒
４  鍵孔
５  内筒
６  ロッキングバー
８  バックアップピン
９  解錠切欠
１１  レバータンブラー
１１Ａ  タンブラーＡ
１１Ｂ  タンブラーＢ
１２  支軸
１３  リセットピン
１４  円筒突起
１４ａ  円筒部
１４ｂ  テーパ部
１５  小径部
１６  係合部
１７  タンブラーばね
１８  係合突部
１９  係合凹部
２２  長孔
３０  合鍵
３１  新規の合鍵
【図１】
0004096562.tif 000002
【図２】
0004096562.tif 000003
【図３】
0004096562.tif 000004
【図４】
0004096562.tif 000005
【図５】
0004096562.tif 000006
【図６】
0004096562.tif 000007
【図７】
0004096562.tif 000008
【図８】
0004096562.tif 000009
【図９】
0004096562.tif 000010
【図１０】
0004096562.tif 000011
【図１１】
0004096562.tif 000012
【図１２】
0004096562.tif 000013
【図１３】
0004096562.tif 000014